(57)【特許請求の範囲】
【請求項１】
水道蛇口に接続する水の取り入れ装置と、
水をエジェクターへ送るパイプと、
ウルトラファインバブル水貯留耐圧タンクに付設する加圧減圧センサースイッチから送られる信号で空気吸入開閉装置を作動する装置と、
水流へ空気を混入するエジェクターと、
エジェクターで混入した空気をマイクロバブルに発泡する共鳴発泡装置と、
空気マイクロバブルを真空キャビテーションで破砕する真空キャビテーションポンプと、
真空キャビテーションで破砕した空気ウルトラファインバブルを通導するパイプと、
空気ウルトラファインバブルを一時蓄え常時一定圧力で畜舎へ供給するウルトラファインバブル水貯留耐圧タンクと、
１次ポンプ及び、２次ポンプ及び、空気開閉装置を作動するウルトラファインバブル水貯留耐圧タンクに付設する加圧減圧センサースイッチと、
ウルトラファインバブル水貯留耐圧タンクから各畜舎及び個々の家畜給水器へ配水するパイプと、
個々の家畜給水器とからなり、
水道蛇口からの水を空気のウルトラファインバブル水に変え、多頭飼育中の個々の動物によって吸飲され、ウルトラファインバブル水貯留耐圧タンクの水が減水し、ウルトラファインバブル水貯留耐圧タンクに付設する加圧減圧センサースイッチが自動的に作動することを特徴とする
畜舎への空気ウルトラファインバブル水製造自動供給配水装置。
【請求項２】
水源又は、水道パイプに接続する水の取り入れるパイプ装置と、
水流に強い噴射圧力を発生する１次ポンプと
ウルトラファインバブル水貯留耐圧タンクに付設する加圧減圧センサースイッチから送られる信号で１次ポンプを作動する装置と、
ウルトラファインバブル水貯留耐圧タンクに付設する加圧減圧センサースイッチから送られる信号で空気吸入開閉装置を作動する装置と、
水流へ空気を混入するエジェクターと、
エジェクターで混入した空気をマイクロバブルに発泡する共鳴発泡装置と、
空気マイクロバブルを真空キャビテーションで破砕する２次真空キャビテーションポンプと、
真空キャビテーションで破砕した空気ウルトラファインバブルを通導するパイプと、
空気ウルトラファインバブルを蓄え常時一定圧力で供給する加圧蓄水タンクと、
１次ポンプ及び、２次真空キャビテーションポンプ及び、空気開閉装置を作動するウルトラファインバブル水貯留耐圧タンクに付設する加圧減圧センサースイッチと、
ウルトラファインバブル水貯留耐圧タンクから各畜舎及び個々の家畜給水器へ配水するパイプと、
個々の家畜給水器とからなり、
水源からの水を空気のウルトラファインバブル水に変え、多頭飼育中の個々の動物によって吸飲され、ウルトラファインバブル水貯留耐圧タンクの水が減水し、ウルトラファインバブル水貯留耐圧タンクに付設する加圧減圧センサースイッチが自動的に作動することを特徴とする畜舎の空気ウルトラファインバブル水製造自動供給配水装置。
【発明の詳細な説明】
【技術分野】
【０００１】  本発明は、畜産用空気のウルトラファインバブル水自動給配水装置に関する。
【背景技術】
【０００２】  空気のウルトラファインバブルは、動物の呼吸代謝を旺盛にし、成長促進に著しい効果を有する。しかし、動物に対する空気のウルトラファインバブルの供給試験は、少数飼育の場合は手動で必要に応じ供給することはできるが、多頭飼育の場合は不可能である。従って、養鶏、養豚、乳牛、肥育牛いずれの大規模飼育施設においても、空気のウルトラファインバブル水の自動給配水は行われていない。【０００３】文献１は、当出願者が発明した「共鳴発泡と真空キャビテーションによる酸化性ラジカルを有するウルトラファインバブル水の製造方法及び、ウルトラファインバブル水製造装置」である。
この特許では、空気のウルトラファインバブルの製造においては、加圧貯留タンクと減圧センサーがないので、畜舎において不定期に飲水する各家畜への自動給配水をすることはできない。
本出願では、畜舎において不定期に飲水する各家畜へ空気のウルトラファインバブル水の加圧自動給配水が必要であり、各蛇口へ常時自動給配水することを可能とする。【０００４】
【特許文献１】特願２０１５−１６３２２１
【発明が解決しようとする課題】
【０００５】  空気、酸素によるウルトラファインバブルは、生体の代謝を促進するので、養鶏、養豚、牛の肥育等で、生体の成長促進が行われ、短時日のうちに加齢が進み大きくなるのが早く、飼料の供給が少なくて済み、経済効果が大ききことが判明している。
その中で、養鶏、養豚、牛の肥育等では、各個体ごとに必要に応じ、空気のウルトラファインバブル水を自動供給することが課題である。
【課題を解決するための手段】
当発明者が開発した特願２０１５−１６３２２１の共鳴発泡と真空キャビテーションによるウルトラファインバブル水製造装置をウルトラファインバブル水貯留耐圧タンクに貯留し、加圧減圧センサースイッチによりコントロールし、給水作動を自動化する。
＜水道蛇口からの水を空気ウルトラファインバブル水にする自動給配水装置＞
【０００６】図１には、水道からの空気ウルトラファインバブル水家畜用自動供給装置図を示した。
水道蛇口に接続する空気のウルトラファインバブルを個々の動物へ自動給水するためには、装置が常時作動する必要はないので、一旦製造したウルトラファインバブル水を加圧給水タンクへ蓄え、個々の動物の飲用に伴ってウルトラファインバブル水が一定量に減少した段階で、次のウルトラファインバブル水製造を行う方法が最も効果的と考え採用している。
その理由は、ウルトラファインバブル製造装置を常時動稼働させると機械の損耗が起こり、経済的損失が多いことによる。また、空気のウルトラファインバブルは１週間以上安定に存在する。
加圧給水タンクを用いることにより、ウルトラファインバブル製造装置を常時動かすことなく、間断的に作動させれば機械の破損も少なく、無駄な電力の使用も節約できる。
水道蛇口から供給する水で自動給水する場合の装置のシステムは、水道蛇口に接続する水の取り入れ装置１、水流へ空気を混入するエジェクター６、エジェクターで混入した空気をマイクロバブルに発泡する共鳴発泡装置８、空気マイクロバブルを真空キャビテーションで破砕する真空キャビテーションポンプ１０、空気ウルトラファインバブルを一時蓄え常時一定圧力で畜舎へ供給するウルトラファインバブル水貯留耐圧タンク１８、個々の動物給水装置と空気ウルトラファインバブル通導パイプ１９で構成される。
空気のウルトラファインバブル水は、飼育中の個々の動物が吸飲装置２０から吸飲する。水の吸飲に伴い、空気ウルトラファインバブル水貯留耐圧タンク１８内の水が一定量に減少した段階で、加圧蓄水タンクに付設する加圧減圧センサースイッチ１３が働き自動的に供給する。
装置の作動は加圧蓄水タンク１８に付設する加圧減圧センサースイッチ１３から送られる信号で、真空キャビテーションポンプ１０を作動させ、製造した空気ウルトラファインバブル水貯留耐圧タンク１８に貯水する。
＜水道管・地下水等の水源の水を空気ウルトラファインバブル水にする自動供給配水装置＞
【０００７】図２には、水源からの自吸式空気ウルトラファインバブル水家畜用自動供給装置図を示した。
水道管・地下水に接続する空気のウルトラファインバブルを個々の動物へ自動給水する場合も、装置が常時作動する必要はないので、一旦製造したウルトラファインバブル水を加圧給水タンクへ蓄え、個々の動物の飲用に伴ってウルトラファインバブル水が一定量に減少した段階で、次のウルトラファインバブル水製造を行う方法が最も効果的と考え採用している。
その理由は、ウルトラファインバブル製造装置を常時動稼働させると機械の損耗が起こり、経済的損失が多いことによる。また、空気のウルトラファインバブルは１週間以上安定に存在すること、加圧給水タンクを用いることにより、ウルトラファインバブル製造装置を常時動かすことなく、間断的に作動させれば機械の破損も少なく、無駄な電力の使用もなくなる。
水道管・地下水から供給する水で自動給水する場合の空気ウルトラファインバブル水装置のシステムは、水道蛇口に接続する水の取り入れ装置１、１次ポンプ３、水流へ空気を混入するエジェクター６、エジェクターで混入した空気をマイクロバブルに発泡する共鳴発泡装置８、空気マイクロバブルを真空キャビテーションで破砕する真空キャビテーションポンプ１０、空気ウルトラファインバブルを一時蓄え常時一定圧力で畜舎へ供給するウルトラファインバブル水貯留耐圧タンク１８、個々の動物給水装置と空気ウルトラファインバブル通導パイプ１９で構成される。
空気のウルトラファインバブル水は、飼育中の個々の動物が吸飲装置２０から吸飲する。水の吸飲に伴い、空気ウルトラファインバブル水貯留耐圧タンク１８内の水が一定量に減少した段階で、加圧蓄水タンクに付設する加圧減圧センサースイッチ１３が働き自動的に供給する。
装置の作動は加圧蓄水タンク１８に付設する加圧減圧センサースイッチ１３から送られる信号で、真空キャビテーションポンプ１０を作動させ、製造した空気ウルトラファインバブル水貯留耐圧タンク１８に貯水する。
＜自動ウルトラファインバブル水供給用加圧減圧センサースイッチ＞
【０００８】図５には、自動ウルトラファインバブル水供給用加圧減圧センサースイッチの図を示した。
加圧減圧センサースイッチの基本構造は、加圧減圧センサースイッチボックス１３内で水の侵入・排出によって上下する蛇腹伸縮タンクが作動し、蛇腹伸縮タンクの動きと接続する上面・下面移動電極板支持移動柱の支持基盤が上下して、上面・下面移動電極板の作動制御基盤を動かし、電極の接触・離脱によってスイッチ機能を有している。
ボックス１３内の装置は、天井部移動電極静止板２５、上面移動電極板２６、上面移動電極板接続のリード線２７、下面移動電極板接着・放離作動の抱え込み爪（抱鉤爪）装置２８、上面・下面移動電極板支持移動柱２９、下面移動電極板３０、下面移動電極板接続のリード線３１、下面移動電極板引き戻しスプリング３２、上面・下面移動電極板の作動制御基盤３３、上面・下面移動電極板支持移動柱押し下げスプリング３４、上面・下面移動電極板支持移動柱の支持基盤３５、上面・下面移動電極板支持移動柱の支持基盤を上下させる蛇腹伸縮タンク３６、加圧減圧センサースイッチと生成ウルトラファインバブル水貯留耐圧タンクの接続部３８で構成されている。
上面・下面移動電極板支持移動柱押し下げスプリング３４は、上面・下面移動電極板の作動制御基盤３５を起点に蛇腹伸縮タンク３６の減圧収縮に際し、上面・下面移動電極板支持移動柱の支持基盤３５の押し下げに作用する。
＜自動ウルトラファインバブル水供給用加圧減圧センサースイッチ作動機作＞
【０００９】図４には、自動ウルトラファインバブル水供給用加圧減圧センサースイッチ作動機作の順序を示した。スイッチのオン・オフは、上面移動電極板２６と下面移動電極板３０の接合と離脱によって行われる。
図４−１では、上面移動電極板２６と下面移動電極板３０の接合し、スイッチがオンになると、水圧が上がり、蛇腹伸縮タンクが膨張し、両電極板を支持している上面・下面移動柱支持基盤３５が上昇する。図４−２、図４−３は上面・下面移動柱支持基盤３５が上昇を続けている。
図４−４は、上面・下面移動柱支持基盤３５が上昇すれば、両電極板は天井部移動電極静止板２５と接触する。
図４−５は、天井部移動電極静止板２５は、加圧減圧センサースイッチボックス１３の最上部に当たり、この板部に水圧で蛇腹伸縮タンクが膨張し、上面・下面移動電極板支持移動柱の支持基盤が上昇し切って、上面移動電極板２６が移動電極静止板２５へ押し付けられると下面移動電極板接着・放離作動の抱え込み爪（抱鉤爪）装置２８が両側に開く構造になっている。
下面移動電極板接着・放離作動の抱え込み爪（抱鉤爪）装置２８が両側に開くと、下面移動電極板３１が電極引き戻しスプリング３３に引っ張れて、上面移動電極板２７から離れて下部定位置まで下がり、スイッチが切れた状態になる。
図６−６、図６−７は、上面・下面移動柱支持基盤３５が動物の水飲用による、ウルトラファインバブル水貯留耐圧タンク１８の水圧低下やウルトラファインバブル水素水の配水蛇口２０の開放によって、蛇腹伸縮タンク内３６の水圧３７が低下して、上面・下面移動柱支持基盤３５が下降を続けている状態を示す。
図６−８は、上面・下面移動柱支持基盤３６が下降して、上下両電極板が極めて接近した状態を示す。
上面・下面移動柱支持基盤３６が下降し切って、上下両電極板がが接合すれば、図６−１の状態になり、再度スイッチがオンとなり、図６−１以後の順序で両電極板が上昇する。
この両電極板の接合・脱着によって装置の自動化が行われる。
【産業上利用の可能性】
【００１０】  空気のウルトラファインバブルは、呼吸代謝を活性化することによって、動物の生長を大きく促進する。その効果は、養鶏、養豚、牛の肥育において、成長促進に伴う肥育期間短縮（飼料代の低減）、免疫増強作用（耐病性向上）、肉質の改善（臭味の減少、あっさり脂質）、鶏においては産卵量の安定、乳牛においては産乳量の安定と品質向上、ゲップの減少等に寄与し、現在の給水装置に本装置を接続するだけで、大幅に省力化を果たすことができる。
【図面の簡単な説明】
【００１１】
【図１】水道からの空気ウルトラファインバブル水家畜用自動供給装置。
【図２】水源からの自吸式空気ウルトラファインバブル水家畜用自動供給装置。
【図３】自動ウルトラファインバブル水供給用加圧減圧センサースイッチ。
【図４】加圧減圧センサースイッチのオン・オフに係る自動作動機作の図解。
【符号の説明】１    水源又は水道
２    吸水パイプ
３    １次ポンプ
４    １次ポンプ作動モーター
５    エジェクターへの導水パイプ
６    気液混合用エジェクター
７    共鳴発泡装置への導水パイプ
８    共鳴発泡装置
９    ２次ポンプへの導水パイプ（マイクロバブル送水）
１０  ２次ポンプ（真空キャビテーション）
１１  ２次ポンプ作動モーター
１２  ウルトラファインバブル導水パイプ
１３  加圧減圧センサースイッチ（又はセンサースイッチボックス）
１４  加圧減圧センサースイッチの電源リード線
１５  電源ソケット
１６  電動モーター、水素ガス防爆開閉装置への情報伝達リード線
１７  ウルトラファインバブル生成装置フレーム台
１８  生成ウルトラファインバブル水貯留耐圧タンク
１９  ウルトラファインバブル水配水パイプ
２０  動物への自動吸水装置
２１  空気供給口
２２  低圧ガスニードルバルブ
２３  減圧計
２４  空気・ガス流量計
＜加圧減圧センサースイッチ部品＞
２５  天井部移動電極静止板
２６  上面移動電極板
２７  上面移動電極板接続のリード線
２８  下面移動電極板接着・放離作動の抱え込み爪（抱鉤爪）装置
２９  上面・下面移動電極板支持移動柱
３０  下面移動電極板
３１  下面移動電極板接続のリード線
３２  下面移動電極板引き戻しスプリング
３３  上面・下面移動電極板の作動制御基盤
３４  上面・下面移動電極板支持移動柱押し下げスプリング
３５  上面・下面移動電極板支持移動柱の支持基盤
３６  上面・下面移動電極板支持移動柱の支持基盤を上下させる蛇腹伸縮タンク
３７  生成ウルトラファインバブル水貯留耐圧タンク圧で出入する水
３８  加圧減圧センサースイッチと生成ウルトラファインバブル水貯留耐圧タンクの接続部
【要約】      （修正有）【課題】畜産用の空気のウルトラファインバブル水を製造し常時各動物個体へ自動供給配水する装置を提供する。【解決手段】水道蛇口から供給する水で自動給配水する場合の装置のシステムは、水道蛇口に接続する水の取り入れ装置１、水流へ空気を混入するエジェクター６、エジェクターで混入した空気をマイクロバブルに発泡する共鳴発泡装置８、空気マイクロバブルを真空キャビテーションで破砕する真空キャビテーションポンプ１０、空気ウルトラファインバブルを一時蓄え常時一定圧力で畜舎へ供給するウルトラファインバブル水貯留耐圧タンク１８、個々の動物給水装置と空気ウルトラファインバブル通導パイプ１９で構成される。空気のウルトラファインバブル水は、飼育中の個々の動物が吸飲装置２０から吸飲する。水の吸飲に伴い、空気ウルトラファインバブル水貯留耐圧タンク１８内の水が一定量に減少した段階で、自動的に供給する。【選択図】図１【図１】
0006114900.tif 000002
【図２】
0006114900.tif 000003
【図３】
0006114900.tif 000004
【図４】
0006114900.tif 000005